(57)【要約】【課題】映像信号の全体像をより確実に把握することが可能な技術が提供されることが望まれる。【解決手段】映像信号における水平方向の画素番号を０からｎ−１までの整数とし、前記映像信号における垂直方向のライン番号を０からｍ−１までの整数とし、ａを２以上の所定の整数とし、Ｈを０から（ｎ／ａ）−１までのすべての整数とし、Ｌを０から（ｍ／ａ）−１までのすべての整数とした場合、各々が０からａ−１までの任意の整数をとり得るｋおよびｌのａ×ａ通りの組み合わせそれぞれに対して、前記画素番号がａＨ＋ｋと表現され、前記ライン番号がａＬ＋ｌと表現される画素群を、ａ×ａ通りの画素群として前記映像信号から分割する画像分割部と、前記ａ×ａ通りの画素群それぞれを別個に含むａ×ａ通りのフレームを生成するフレーム生成部と、を備える、フレーム生成装置が提供される。【選択図】図３
2017085969.tif 000002
【特許請求の範囲】
【請求項１】
映像信号における水平方向の画素番号を０からｎ−１までの整数とし、前記映像信号における垂直方向のライン番号を０からｍ−１までの整数とし、ａを２以上の所定の整数とし、Ｈを０から（ｎ／ａ）−１までのすべての整数とし、Ｌを０から（ｍ／ａ）−１までのすべての整数とした場合、各々が０からａ−１までの任意の整数をとり得るｋおよびｌのａ×ａ通りの組み合わせそれぞれに対して、前記画素番号がａＨ＋ｋと表現され、前記ライン番号がａＬ＋ｌと表現される画素群を、ａ×ａ通りの画素群として前記映像信号から分割する画像分割部と、
前記ａ×ａ通りの画素群それぞれを別個に含むａ×ａ通りのフレームを生成するフレーム生成部と、
を備える、フレーム生成装置。
【請求項２】
前記フレーム生成部は、前記フレームの先頭にフレーム開始識別子を付する、
請求項１に記載のフレーム生成装置。
【請求項３】
前記フレーム開始識別子は、少なくとも前記映像信号には存在しない所定のコードに置換される、
請求項２に記載のフレーム生成装置。
【請求項４】
前記フレーム生成部は、前記画素群の各ラインの先頭画素の前記映像信号における位置情報を前記フレームの所定位置に付する、
請求項３に記載のフレーム生成装置。
【請求項５】
前記フレームのうち、前記画素群の各ラインの前には、前記フレーム開始識別子または少なくとも前記映像信号には存在しない所定のコードに置換されるブランキング区間が存在し、
前記フレーム生成部は、前記フレーム開始識別子または前記ブランキング区間の後に前記位置情報を付する、
請求項４に記載のフレーム生成装置。
【請求項６】
前記フレーム生成装置は、前記映像信号を生成する画像生成部を備える、
請求項１に記載のフレーム生成装置。
【請求項７】
前記フレーム生成装置は、前記フレームを送信する送信部を備える、
請求項１に記載のフレーム生成装置。
【請求項８】
映像信号における水平方向の画素番号を０からｎ−１までの整数とし、前記映像信号における垂直方向のライン番号を０からｍ−１までの整数とし、ａを２以上の所定の整数とし、Ｈを０から（ｎ／ａ）−１までのすべての整数とし、Ｌを０から（ｍ／ａ）−１までのすべての整数とした場合、各々が０からａ−１までの任意の整数をとり得るｋおよびｌのａ×ａ通りの組み合わせそれぞれに対して、前記画素番号がａＨ＋ｋと表現され、前記ライン番号がａＬ＋ｌと表現される画素群を、ａ×ａ通りの画素群として前記映像信号から分割することと、
前記ａ×ａ通りの画素群それぞれを別個に含むａ×ａ通りのフレームを生成することと、
を含む、フレーム生成方法。
【請求項９】
ａを２以上の所定の整数とした場合、映像信号から分割されて得られたａ×ａ通りの画素群それぞれを別個に含むａ×ａ通りのフレームから、前記ａ×ａ通りの画素群を抽出する画素抽出部と、
前記ａ×ａ通りの画素群を合成することによって前記映像信号を復元する画像合成部と、
を備える、画像合成装置。
【請求項１０】
前記画素抽出部は、前記フレームの先頭に付されているフレーム開始識別子の位置に基づいて前記画素群を抽出する、
請求項９に記載の画像合成装置。
【請求項１１】
前記フレーム開始識別子は、少なくとも前記映像信号には存在しない所定のコードから置換される、
請求項１０に記載の画像合成装置。
【請求項１２】
前記画像合成部は、前記フレームの所定位置に付された前記画素群の各ラインの先頭画素の前記映像信号における位置情報に基づいて前記画素群を合成する、
請求項１１に記載の画像合成装置。
【請求項１３】
前記フレームのうち、前記画素群の各ラインの前には、前記フレーム開始識別子または少なくとも前記映像信号には存在しない所定のコードから置換されるブランキング区間が存在し、
前記画像合成部は、前記フレーム開始識別子または前記ブランキング区間の後に付された前記位置情報に基づいて前記画素群を合成する、
請求項１２に記載の画像合成装置。
【請求項１４】
前記画像合成装置は、前記映像信号に基づいて映像の表示を行う画像表示部を備える、
請求項９に記載の画像合成装置。
【請求項１５】
前記画像合成装置は、前記フレームを受信する受信部を備える、
請求項９に記載の画像合成装置。
【請求項１６】
ａを２以上の所定の整数とした場合、映像信号から分割されて得られたａ×ａ通りの画素群それぞれを別個に含むａ×ａ通りのフレームから、前記ａ×ａ通りの画素群を抽出することと、
前記ａ×ａ通りの画素群を合成することによって前記映像信号を復元することと、
を含む、画像合成方法。
【請求項１７】
ａを２以上の所定の整数とした場合、映像信号から分割されて得られたａ×ａ通りの画素群それぞれを別個に含むａ×ａ通りのフレームのうちの１のフレームから、１の画素群を抽出する画素抽出部と、
前記１の画素群に基づいて前記映像信号よりもサイズの小さい映像信号を生成する信号生成部と、
を備える、信号生成装置。
【請求項１８】
ａを２以上の所定の整数とした場合、映像信号から分割されて得られたａ×ａ通りの画素群それぞれを別個に含むａ×ａ通りのフレームのうちの１のフレームから、１の画素群を抽出することと、
前記１の画素群に基づいて前記映像信号よりもフレームサイズの小さい映像信号を生成することと、
を備える、信号生成方法。
【請求項１９】
映像信号における水平方向の画素番号を０からｎ−１までの整数とし、前記映像信号における垂直方向のライン番号を０からｍ−１までの整数とし、ａを２以上の所定の整数とし、Ｈを０から（ｎ／ａ）−１までのすべての整数とし、Ｌを０から（ｍ／ａ）−１までのすべての整数とした場合、各々が０からａ−１までの任意の整数をとり得るｋおよびｌのａ×ａ通りの組み合わせそれぞれに対して、前記画素番号がａＨ＋ｋと表現され、前記ライン番号がａＬ＋ｌと表現される画素群を、ａ×ａ通りの画素群として前記映像信号から分割する画像分割部と、
前記ａ×ａ通りの画素群それぞれを別個に含むａ×ａ通りのフレームを生成するフレーム生成部と、
前記ａ×ａ通りのフレームを送信する送信部と、
を備える、送信器と、
前記ａ×ａ通りのフレームを受信する受信部と、
前記ａ×ａ通りのフレームから、前記ａ×ａ通りの画素群を抽出する画素抽出部と、
前記ａ×ａ通りの画素群を合成することによって前記映像信号を復元する画像合成部と、
を備える、受信器と、
を有する、画像伝送システム。
【請求項２０】
映像信号における水平方向の画素番号を０からｎ−１までの整数とし、前記映像信号における垂直方向のライン番号を０からｍ−１までの整数とし、ａを２以上の所定の整数とし、Ｈを０から（ｎ／ａ）−１までのすべての整数とし、Ｌを０から（ｍ／ａ）−１までのすべての整数とした場合、各々が０からａ−１までの任意の整数をとり得るｋおよびｌのａ×ａ通りの組み合わせそれぞれに対して、前記画素番号がａＨ＋ｋと表現され、前記ライン番号がａＬ＋ｌと表現される画素群を、ａ×ａ通りの画素群として前記映像信号から分割することと、
前記ａ×ａ通りの画素群それぞれを別個に含むａ×ａ通りのフレームを生成することと、
前記ａ×ａ通りのフレームを送信することと、
前記ａ×ａ通りのフレームを受信することと、
前記ａ×ａ通りのフレームから、前記ａ×ａ通りの画素群を抽出することと、
前記ａ×ａ通りの画素群を合成することによって前記映像信号を復元することと、
を含む、画像伝送方法。
【発明の詳細な説明】
【技術分野】
【０００１】
本開示は、フレーム生成装置、フレーム生成方法、画像合成装置、画像合成方法、信号生成装置、信号生成方法、画像伝送システムおよび画像伝送方法に関する。
【背景技術】
【０００２】
近年、映像信号の空間解像度が高まっている。例えば、有効画素数が３８４０×２１６０の４Ｋ映像、および、７６８０×４３２０の８Ｋ映像などが利用されている。このような映像信号の空間解像度の高まりに伴って、映像信号のビットレートも増加している。例えば、４Ｋ映像においては、１画素あたりのビット数が３６ｂｉｔであり、かつ、フレームレートが６０Ｈｚの場合、映像信号のビットレートは１７．９Ｇｂｐｓである。また、８Ｋ映像においては、映像信号のビットレートは７１．６Ｇｂｐｓである。【０００３】
このような映像信号を映像機器間で伝送するために、一般的にはＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）と呼ばれる高速伝送技術、または、ＤｉｓｐｌａｙＰｏｒｔと呼ばれる高速伝送技術などが用いられている。例えば、ＨＤＭＩ２．ｘにおいては、伝送容量は１８Ｇｂｐｓであり、ＤｉｓｐｌａｙＰｏｒｔ１．２においては、伝送容量は２１．６Ｇｂｐｓである。したがって、ＨＤＭＩ２．ｘ、または、ＤｉｓｐｌａｙＰｏｒｔ１．２のケーブル１本では、４Ｋ映像を伝送することは可能であるが、８Ｋ映像を伝送するのは困難である。【０００４】
そこで、映像信号の全体を伝送するのではなく、映像信号を複数の塊に分割し、分割して得られた複数の塊それぞれを異なる伝送路を介して伝送する技術が開示されている（例えば、非特許文献１参照）。かかる技術においては、送信器から複数の塊を受信した受信器は、受信した複数の塊を合成することによって映像信号を復元し、復元した映像信号に基づいて映像を表示することが可能である。
【先行技術文献】
【非特許文献】
【０００５】
【非特許文献１】アストロデザイン株式会社、“Ｐｒｏｄｕｃｔｓ  Ｉｎｆｏｒｍａｔｉｏｎ  ２０１５  アストロデザイン技術＆製品情報誌  Ｖｏｌ．７”、［ｏｎｌｉｎｅ］、［平成２７年１１月２日検索］、インターネット＜ｈｔｔｐ：／／ｗｗｗ．ａｓｔｒｏｄｅｓｉｇｎ．ｃｏ．ｊｐ／ｊａｐａｎｅｓｅ／ａｓｔｒｏ／Ｎｅｗｓ／Ａ−ｃｏｎｔｅｎｔｓ／Ａ−ｃｏｎｔｅｎｔｓ．ｐｄｆ＞
【発明の概要】
【発明が解決しようとする課題】
【０００６】
しかし、映像信号から分割された複数の塊それぞれが異なる伝送路を介して送信側から伝送される場合、すべての伝送路を伝送された塊を受信側において受信しない限り、受信側に表示された映像から映像信号の全体像を把握することは困難である。そこで、送信側から映像信号が複数の伝送路を介して分散されて伝送される場合に受信側に表示された映像から映像信号の全体像をより確実に把握することが可能な技術が提供されることが望まれる。
【課題を解決するための手段】
【０００７】
本開示によれば、映像信号における水平方向の画素番号を０からｎ−１までの整数とし、前記映像信号における垂直方向のライン番号を０からｍ−１までの整数とし、ａを２以上の所定の整数とし、Ｈを０から（ｎ／ａ）−１までのすべての整数とし、Ｌを０から（ｍ／ａ）−１までのすべての整数とした場合、各々が０からａ−１までの任意の整数をとり得るｋおよびｌのａ×ａ通りの組み合わせそれぞれに対して、前記画素番号がａＨ＋ｋと表現され、前記ライン番号がａＬ＋ｌと表現される画素群を、ａ×ａ通りの画素群として前記映像信号から分割する画像分割部と、前記ａ×ａ通りの画素群それぞれを別個に含むａ×ａ通りのフレームを生成するフレーム生成部と、を備える、フレーム生成装置が提供される。【０００８】
本開示によれば、映像信号における水平方向の画素番号を０からｎ−１までの整数とし、前記映像信号における垂直方向のライン番号を０からｍ−１までの整数とし、ａを２以上の所定の整数とし、Ｈを０から（ｎ／ａ）−１までのすべての整数とし、Ｌを０から（ｍ／ａ）−１までのすべての整数とした場合、各々が０からａ−１までの任意の整数をとり得るｋおよびｌのａ×ａ通りの組み合わせそれぞれに対して、前記画素番号がａＨ＋ｋと表現され、前記ライン番号がａＬ＋ｌと表現される画素群を、ａ×ａ通りの画素群として前記映像信号から分割することと、前記ａ×ａ通りの画素群それぞれを別個に含むａ×ａ通りのフレームを生成することと、を含む、フレーム生成方法が提供される。【０００９】
本開示によれば、ａを２以上の所定の整数とした場合、映像信号から分割されて得られたａ×ａ通りの画素群それぞれを別個に含むａ×ａ通りのフレームから、前記ａ×ａ通りの画素群を抽出する画素抽出部と、前記ａ×ａ通りの画素群を合成することによって前記映像信号を復元する画像合成部と、を備える、画像合成装置が提供される。【００１０】
本開示によれば、ａを２以上の所定の整数とした場合、映像信号から分割されて得られたａ×ａ通りの画素群それぞれを別個に含むａ×ａ通りのフレームから、前記ａ×ａ通りの画素群を抽出することと、前記ａ×ａ通りの画素群を合成することによって前記映像信号を復元することと、を含む、画像合成方法が提供される。【００１１】
本開示によれば、ａを２以上の所定の整数とした場合、映像信号から分割されて得られたａ×ａ通りの画素群それぞれを別個に含むａ×ａ通りのフレームのうちの１のフレームから、１の画素群を抽出する画素抽出部と、前記１の画素群に基づいて前記映像信号よりもサイズの小さい映像信号を生成する信号生成部と、を備える、信号生成装置が提供される。【００１２】
本開示によれば、ａを２以上の所定の整数とした場合、映像信号から分割されて得られたａ×ａ通りの画素群それぞれを別個に含むａ×ａ通りのフレームのうちの１のフレームから、１の画素群を抽出することと、前記１の画素群に基づいて前記映像信号よりもフレームサイズの小さい映像信号を生成することと、を備える、信号生成方法が提供される。【００１３】
本開示によれば、映像信号における水平方向の画素番号を０からｎ−１までの整数とし、前記映像信号における垂直方向のライン番号を０からｍ−１までの整数とし、ａを２以上の所定の整数とし、Ｈを０から（ｎ／ａ）−１までのすべての整数とし、Ｌを０から（ｍ／ａ）−１までのすべての整数とした場合、各々が０からａ−１までの任意の整数をとり得るｋおよびｌのａ×ａ通りの組み合わせそれぞれに対して、前記画素番号がａＨ＋ｋと表現され、前記ライン番号がａＬ＋ｌと表現される画素群を、ａ×ａ通りの画素群として前記映像信号から分割する画像分割部と、前記ａ×ａ通りの画素群それぞれを別個に含むａ×ａ通りのフレームを生成するフレーム生成部と、前記ａ×ａ通りのフレームを送信する送信部と、を備える、送信器と、前記ａ×ａ通りのフレームを受信する受信部と、前記ａ×ａ通りのフレームから、前記ａ×ａ通りの画素群を抽出する画素抽出部と、前記ａ×ａ通りの画素群を合成することによって前記映像信号を復元する画像合成部と、を備える、受信器と、を有する、画像伝送システムが提供される。【００１４】
本開示によれば、映像信号における水平方向の画素番号を０からｎ−１までの整数とし、前記映像信号における垂直方向のライン番号を０からｍ−１までの整数とし、ａを２以上の所定の整数とし、Ｈを０から（ｎ／ａ）−１までのすべての整数とし、Ｌを０から（ｍ／ａ）−１までのすべての整数とした場合、各々が０からａ−１までの任意の整数をとり得るｋおよびｌのａ×ａ通りの組み合わせそれぞれに対して、前記画素番号がａＨ＋ｋと表現され、前記ライン番号がａＬ＋ｌと表現される画素群を、ａ×ａ通りの画素群として前記映像信号から分割することと、前記ａ×ａ通りの画素群それぞれを別個に含むａ×ａ通りのフレームを生成することと、前記ａ×ａ通りのフレームを送信することと、前記ａ×ａ通りのフレームを受信することと、前記ａ×ａ通りのフレームから、前記ａ×ａ通りの画素群を抽出することと、前記ａ×ａ通りの画素群を合成することによって前記映像信号を復元することと、を含む、画像伝送方法が提供される。
【発明の効果】
【００１５】
以上説明したように本開示によれば、送信側から映像信号が複数の伝送路を介して分散されて伝送される場合に受信側に表示された映像から映像信号の全体像をより確実に把握することが可能な技術が提供される。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１６】
【図１Ａ】映像信号の全体を示す図である。
【図１Ｂ】映像信号から得られた４つの塊の一例を示す図である
【図１Ｃ】映像信号から得られた４つの塊の他の一例を示す図である。
【図２】映像信号が水平方向および垂直方向にそれぞれ２分割されることによって得られた４つの塊が異なる伝送路を介して送信される例を示す図である。
【図３】本開示の一実施形態に係る画像伝送システムの構成の一例を示す図である。
【図４】同実施形態に係る映像信号の例を示す図である。
【図５Ａ】ｋ＝０、かつ、ｌ＝０である場合における画素群を示す図である。
【図５Ｂ】ｋ＝１、かつ、ｌ＝０である場合における画素群を示す図である。
【図５Ｃ】ｋ＝０、かつ、ｌ＝１である場合における画素群を示す図である。
【図５Ｄ】ｋ＝１、かつ、ｌ＝１である場合における画素群を示す図である。
【図６】フレーム生成部によって生成されるフレームの構成例を示す図である。
【図７】画素群を構成する各画素に対応する画素要素の例を示す図である。
【図８】画像伝送システムの変形例の構成の一例を示す図である。
【発明を実施するための形態】
【００１７】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１８】
また、本明細書および図面において、実質的に同一の機能構成を有する複数の構成要素を、同一の符号の後に異なる数字を付して区別する。ただし、実質的に同一の機能構成を有する複数の構成要素等の各々を特に区別する必要がない場合、同一符号のみを付する。また、異なる実施形態の類似する構成要素については、同一の符号の後に異なるアルファベットを付して区別する。
【００１９】
なお、説明は以下の順序で行うものとする。
１．背景
２．画像伝送システムの構成例
３．むすび
【００２０】
＜１．背景＞
まず、本実施形態の背景について説明する。近年、映像信号の空間解像度が高まっている。例えば、有効画素数が３８４０×２１６０の４Ｋ映像、および、７６８０×４３２０の８Ｋ映像などが利用されている。このような映像信号の空間解像度の高まりに伴って、映像信号のビットレートも増加している。例えば、４Ｋ映像においては、１画素あたりのビット数が３６ｂｉｔであり、かつ、フレームレートが６０Ｈｚの場合、映像信号のビットレートは１７．９Ｇｂｐｓである。また、８Ｋ映像においては、映像信号のビットレートは７１．６Ｇｂｐｓである。
【００２１】
このような映像信号を映像機器間で伝送するために、一般的にはＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）と呼ばれる高速伝送技術、または、ＤｉｓｐｌａｙＰｏｒｔと呼ばれる高速伝送技術などが用いられている。例えば、ＨＤＭＩ２．ｘにおいては、伝送容量は１８Ｇｂｐｓであり、ＤｉｓｐｌａｙＰｏｒｔ１．２においては、伝送容量は２１．６Ｇｂｐｓである。したがって、ＨＤＭＩ２．ｘ、または、ＤｉｓｐｌａｙＰｏｒｔ１．２のケーブル１本では、４Ｋ映像を伝送することは可能であるが、８Ｋ映像を伝送するのは困難である。
【００２２】
そこで、映像信号の全体を伝送するのではなく、映像信号を複数の塊に分割し、分割して得られた複数の塊それぞれを異なる伝送路を介して伝送する技術が開示されている。図を参照しながら説明する。図１Ａは、映像信号の全体を示す図である。図１Ａを参照すると、映像信号Ｉｍ１０が示されている。送信器は、この映像信号Ｉｍ１０を複数の塊に分割することによって複数の塊を生成し、複数の塊それぞれを異なる伝送路を介して受信器に送信する。
【００２３】
例えば、送信器は、映像信号Ｉｍ１０を水平方向および垂直方向にそれぞれ２分割することによって４つの塊を生成し、４つの塊を異なる伝送路を介して受信器に送信する場合がある。図１Ｂは、映像信号Ｉｍ１０から得られた４つの塊の一例を示す図である。図１Ｂを参照すると、映像信号Ｉｍ１０が水平方向および垂直方向にそれぞれ２分割されて得られた塊Ｉｍ１１〜Ｉｍ１４が示されている。送信器は、塊Ｉｍ１１〜Ｉｍ１４それぞれを異なる伝送路を介して受信器に送信する。
【００２４】
また、送信器は、映像信号Ｉｍ１０を垂直方向に４分割することによって４つの塊を生成し、４つの塊を異なる伝送路を介して受信器に送信する場合がある。図１Ｃは、映像信号Ｉｍ１０から得られた４つの塊の他の一例を示す図である。図１Ｃを参照すると、映像信号Ｉｍ１０が垂直方向に４分割されて得られた塊Ｉｍ２１〜Ｉｍ２４が示されている。送信器は、塊Ｉｍ２１〜Ｉｍ２４それぞれを異なる伝送路を介して受信器に送信する。
【００２５】
図２は、映像信号Ｉｍ１０が水平方向および垂直方向にそれぞれ２分割されることによって得られた４つの塊Ｉｍ１１〜Ｉｍ１４が異なる伝送路を介して送信される例を示す図である。図２に示すように、送信器８０は、映像信号Ｉｍ１０を生成する画像生成部８０１と、映像信号Ｉｍ１０を水平方向および垂直方向にそれぞれ２分割することによって塊Ｉｍ１１〜Ｉｍ１４を得る画像分割部８０２とを備える。また、送信器８０は、塊Ｉｍ１１〜Ｉｍ１４をそれぞれ異なる伝送路を介して受信器９０に送信するＨＤＭＩ送信部８０４〜８０７を備える。
【００２６】
一方、図２に示すように、受信器９０は、塊Ｉｍ１１〜Ｉｍ１４をそれぞれ異なる伝送路を介して送信器８０から受信するＨＤＭＩ受信部９０４〜９０７を備える。また、受信器９０は、塊Ｉｍ１１〜Ｉｍ１４を合成することによって映像信号Ｉｍ１０を生成する画像合成部９０２と、映像信号Ｉｍ１０に基づいて映像を表示する画像表示部９０１とを備える。
【００２７】
図２を用いて説明したように、送信器８０から塊Ｉｍ１１〜Ｉｍ１４を受信した受信器９０は、受信した塊Ｉｍ１１〜Ｉｍ１４を合成することによって映像信号Ｉｍ１０を復元し、復元した映像信号Ｉｍ１０に基づいて映像を表示することが可能である。図１Ｃに示した塊Ｉｍ２１〜Ｉｍ２４が送信器８０から送信され、受信器９０によって受信された場合も同様にして、受信器９０によって塊Ｉｍ２１〜Ｉｍ２４から映像信号Ｉｍ１０が生成される。
【００２８】
しかし、映像信号Ｉｍ１０から分割された塊Ｉｍ１１〜Ｉｍ１４（あるいは、塊Ｉｍ２１〜Ｉｍ２４）それぞれが異なる伝送路を介して伝送される場合、すべての伝送路を伝送された塊Ｉｍ１１〜Ｉｍ１４（あるいは、塊Ｉｍ２１〜Ｉｍ２４）を受信しない限り、受信器９０に表示された映像から映像信号Ｉｍ１０の全体像を把握することは困難である。そこで、本明細書においては、送信器８０から映像信号Ｉｍ１０が複数の伝送路を介して分散されて伝送される場合に受信器９０に表示された映像から映像信号の全体像をより確実に把握することが可能な技術について主に提案する。
【００２９】
例として、送信器８０が８Ｋ映像を送信した場合であっても、受信器９０がタブレット機器または携帯機器である場合などには、受信器９０の処理能力の制限により、受信器９０が８Ｋ映像を再生して表示するのは困難である場合がある。あるいは、送信器８０が８Ｋ映像を送信した場合であっても、受信器９０の消費電力の制限により、受信器９０が８Ｋ映像を再生して表示するのは困難である場合がある。かかる場合であっても、受信器９０に表示された映像から８Ｋ映像の全体像をより確実に把握することが可能な技術が望まれる。
【００３０】
以上、本実施形態の背景について説明した。
【００３１】
［２．画像伝送システムの構成例］
続いて、図３を参照しながら、画像伝送システムの構成例について説明する。図３は、本実施形態に係る画像伝送システムの構成の一例を示す図である。図３に示すように、画像伝送システム１Ａは、送信器１０と、受信器２０Ａとを有する。送信器１０と受信器２０Ａとは、ケーブル３０を介して接続されている。ケーブル３０には複数の伝送路が含まれている。なお、送信器１０は、「フレーム生成装置」として機能し得る。また、受信器２０Ａは、「画像合成装置」として機能し得る。
【００３２】
送信器１０は、画像生成部１０１と、画像分割部１０２と、フレーム生成部１０３♯と、送信部１０７♯とを備える。画像生成部１０１は、映像信号を生成する。なお、図３には、画像生成部１０１が送信器１０に組み込まれている例が示されているが、画像生成部１０１は、送信器１０の外部に存在していてもよい。
【００３３】
図４は、本実施形態に係る映像信号Ｉｍ１０の例を示す図である。図４に示すように、映像信号Ｉｍ１０における水平方向画素数をｎとし、映像信号Ｉｍ１０における垂直方向ライン数をｍとする。すなわち、映像信号Ｉｍ１０における水平方向の画素番号を０からｎ−１までの整数とし、映像信号Ｉｍ１０における垂直方向のライン番号を０からｍ−１までの整数とする。まず、ａを２以上の所定の整数とし、Ｈを０から（ｎ／ａ）−１までのすべての整数とし、Ｌを０から（ｍ／ａ）−１までのすべての整数として説明を行う。
【００３４】
画像分割部１０２は、各々が０からａ−１までの任意の整数をとり得るｋおよびｌのａ×ａ通りの組み合わせそれぞれに対して、画素番号がａＨ＋ｋと表現され、ライン番号がａＬ＋ｌと表現される画素群を、ａ×ａ通りの画素群として映像信号Ｉｍ１０から分割する。フレーム生成部１０３♯は、ａ×ａ通りの画素群それぞれを別個に含むａ×ａ通りのフレームを生成し、送信部１０７♯は、ａ×ａ通りのフレームを、ケーブル３０を介して受信器２０Ａに送信する。
【００３５】
受信器２０Ａは、受信部２０７♯と、画素抽出部２０３♯と、画像合成部２０２と、画像表示部２０１とを備える。受信部２０７♯は、送信部１０７から送信されたａ×ａ通りのフレームを、ケーブル３０を介して受信する。画素抽出部２０３♯は、ａ×ａ通りのフレームそれぞれから画素群を抽出する（ａ×ａ通りの画素群が抽出される）。画像合成部２０２は、ａ×ａ通りの画素群を合成することによって映像信号Ｉｍ１０を復元する。画像表示部２０１は、映像信号Ｉｍ１０を再生して表示する。
【００３６】
かかる構成によれば、映像信号Ｉｍ１０から分割される複数の画素群それぞれが塊ではなく、映像信号Ｉｍ１０の全体に渡って散在するようになる。したがって、映像信号Ｉｍ１０から分割された複数の画素群それぞれが異なる伝送路を介して伝送された場合に、受信器２０Ａによって受信されない画素群が存在したとしても、受信器２０Ａに表示された映像から映像信号Ｉｍ１０の全体像を把握することが可能となる。
【００３７】
以下では、２以上の所定の整数であるとして説明したａが２という具体的な値である場合を例として説明する。なお、以下では、ａが２である場合について説明するが、以下に説明する内容は、ａが２以上の所定の整数である場合に対しても、同様に適用され得る。まず、上記と同様に、画像生成部１０１は、映像信号を生成する。具体的には、画像生成部１０１は、図４に示した映像信号Ｉｍ１０を生成する。また、ここではａを２とするため、Ｈを０から（ｎ／ａ）−１＝（ｎ／２）−１までのすべての整数とし、Ｌを０から（ｍ／ａ）−１＝（ｍ／２）−１までのすべての整数とする。
【００３８】
画像分割部１０２は、各々が０からａ−１＝２−１＝１までの任意の整数をとり得るｋおよびｌのａ×ａ＝２×２＝４通りの組み合わせそれぞれに対して、画素番号がａＨ＋ｋ＝２Ｈ＋ｋと表現され、ライン番号がａＬ＋ｌ＝２Ｌ＋ｌと表現される画素群を、ａ×ａ＝２×２＝４通りの画素群として映像信号Ｉｍ１０から分割する。
【００３９】
図５Ａは、ｋ＝０、かつ、ｌ＝０である場合における画素群を示す図である。図５Ａを参照すると、画素群Ｉｍ２０の各画素の映像信号Ｉｍ１０における位置情報（水平方向の画素番号，垂直方向のライン番号）が、（０，０），（２，０），・・・，（ｎ−２，ｍ−２）といったように、画素群Ｉｍ２０に対して記載されている。画像分割部１０２は、映像信号Ｉｍ１０から画素群Ｉｍ２０を分割し、画素群Ｉｍ２０をフレーム生成部１０３−１に出力する。
【００４０】
図５Ｂは、ｋ＝１、かつ、ｌ＝０である場合における画素群を示す図である。図５Ｂを参照すると、画素群Ｉｍ３０の各画素の映像信号Ｉｍ１０における位置情報（水平方向の画素番号，垂直方向のライン番号）が、（１，０），（３，０）・・・（ｎ−１，ｍ−２）といったように、Ｉｍ３０に対して記載されている。画像分割部１０２は、映像信号Ｉｍ１０から画素群Ｉｍ３０を分割し、画素群Ｉｍ３０をフレーム生成部１０３−２に出力する。
【００４１】
図５Ｃは、ｋ＝０、かつ、ｌ＝１である場合における画素群を示す図である。図５Ｃを参照すると、画素群Ｉｍ４０の各画素の映像信号Ｉｍ１０における位置情報（水平方向の画素番号，垂直方向のライン番号）が、（０，１），（２，１）・・・（ｎ−２，ｍ−１）といったように、Ｉｍ４０に対して記載されている。画像分割部１０２は、映像信号Ｉｍ１０から画素群Ｉｍ４０を分割し、画素群Ｉｍ４０をフレーム生成部１０３−３に出力する。
【００４２】
図５Ｄは、ｋ＝１、かつ、ｌ＝１である場合における画素群を示す図である。図５Ｄを参照すると、画素群Ｉｍ５０の各画素の映像信号Ｉｍ１０における位置情報（水平方向の画素番号，垂直方向のライン番号）が、（１，１），（３，１）・・・（ｎ−１，ｍ−１）といったように、Ｉｍ５０に対して記載されている。画像分割部１０２は、映像信号Ｉｍ１０から画素群Ｉｍ５０を分割し、画素群Ｉｍ５０をフレーム生成部１０３−４に出力する。
【００４３】
フレーム生成部１０３は、（ａ×ａ＝２×２＝４通りの）画素群Ｉｍ２０〜Ｉｍ５０それぞれを別個に含む４通りのフレームを生成する。より具体的には、フレーム生成部１０３−１が、画素群Ｉｍ２０を含むフレームを生成し、フレーム生成部１０３−２が、画素群Ｉｍ３０を含むフレームを生成し、フレーム生成部１０３−３が、画素群Ｉｍ４０を含むフレームを生成し、フレーム生成部１０３−４が、画素群Ｉｍ５０を含むフレームを生成する。ここでは、フレーム生成部１０３−１〜１０３−４が同様の処理を行うため、フレーム生成部１０３−１〜１０３−４を代表して、フレーム生成部１０３−１の処理を具体的に説明する。
【００４４】
図６は、フレーム生成部１０３−１によって生成されるフレームの構成例を示す図である。図６には、Ｎ番目のフレームの全体が第Ｎ（Ｎは０以上の整数）フレームとして示され、Ｎ＋１番目のフレームの一部が第Ｎ＋１フレームとして示されている。フレーム生成部１０３−１は、画素群Ｉｍ２０（図５Ａ）の最初のライン（映像信号Ｉｍ１０における第０ライン）、画素群Ｉｍ２０（図５Ａ）の２番目のライン（映像信号Ｉｍ１０における第２ライン）およびそれらに続くラインを順に含んだフレームを生成する。
【００４５】
ここで、画素群Ｉｍ２０を構成する各画素に対応する画素要素の種類は特に限定されない。図７は、画素群Ｉｍ２０を構成する各画素に対応する画素要素の例を示す図である。図７に示すように、画素群Ｉｍ２０を構成する各画素（水平方向の画素番号、垂直方向のライン番号）＝（０，０），（２，０），・・・，（ｎ−２，ｍ−２）それぞれに対応する画素要素の種類は、ＲＧＢであってもよいし、ＹＣｂＣｒであってもよい。
【００４６】
また、図６に示すように、フレーム生成部１０３−１は、フレームの先頭にフレーム開始識別子（ＳＹＮＣ）を付する。フレーム開始識別子には、少なくとも映像信号には存在しない所定のコード（以下、「特殊データ」とも言う。）のいずれか一つが割り当てられている。例えば、特殊データは、伝送路３０１−１を送受信されるデータの符号化に依存する。例えば、伝送路３０１−１を送受信されるデータの符号化にＡＮＳＩ  ８ｂ／１０ｂ変換が用いられる場合、特殊データには、Ｋコードが割り当てられてよい。例えば、フレーム開始識別子には、Ｋ２８．５と呼ばれているＫコード（０ｘＢＣ）がＮバイト連続したデータが割り当てられてよい。
【００４７】
また、フレーム生成部１０３−１は、画素群Ｉｍ２０の各ラインの先頭画素の映像信号Ｉｍ１０における位置情報（水平方向の画素番号，垂直方向のライン番号）をフレームの所定位置に付する。例えば、図６に示す例では、フレームのうち、画素群Ｉｍ２０の各ラインの前には、フレーム開始識別子またはブランキング区間が存在している。ここで、ブランキング区間には、特殊データのうち、フレーム開始識別子に割り当てられている特殊データとは異なる特殊データが割り当てられている。そこで、フレーム生成部１０３−１は、フレーム開始識別子またはブランキング区間の後に、画素群Ｉｍ２０の各ラインの先頭画素の映像信号Ｉｍ１０における位置情報（水平方向の画素番号，垂直方向のライン番号）を付する。
【００４８】
なお、フレーム生成部１０３−１は、フレームに対して符号化を行ってもよい。具体的には、フレーム生成部１０３−１は、フレームに対して８ｂ／１０ｂ符号化を行ってもよい。例えば、フレーム生成部１０３−１は、フレームのうち、フレーム開始識別子を対応する特殊データに置換し、ブランキング区間を対応する特殊データに置換し、これら以外のデータを１０ビット単位のデータに置換してもよい。また、フレーム生成部１０３−１は、符号化されたフレームを高速伝送に適した形式にすべくパラレルデータからシリアルデータに変換してもよい。
【００４９】
送信部１０７は、４通りのフレームを、ケーブル３０を介して受信器２０Ａに送信する。より具体的には、送信部１０７−１は、フレーム生成部１０３−１によって生成されたフレームを伝送路３０１−１に出力し、送信部１０７−２は、フレーム生成部１０３−２によって生成されたフレームを伝送路３０１−２に出力し、送信部１０７−３は、フレーム生成部１０３−３によって生成されたフレームを伝送路３０１−３に出力し、送信部１０７−４は、フレーム生成部１０３−４によって生成されたフレームを伝送路３０１−４に出力する。
【００５０】
例えば、伝送路３０１が光ファイバによって構成されている場合、送信部１０７は、フレーム生成部１０３によって生成されたフレームを光信号に変換してから、伝送路３０１を介して受信器２０Ａに送信する。しかし、送信器１０から伝送路３０１を介して受信器２０Ａに送信される信号の種類は限定されない。例えば、送信部１０７は電気信号により伝送路３０１を介してフレームを受信器２０Ａに送信してもよい。
【００５１】
受信部２０７は、送信部１０７から送信された（ａ×ａ＝２×２＝）４通りのフレームを、伝送路３０１を介して受信する。より具体的には、受信部２０７−１は、伝送路３０１−１を介して送信されたフレームを受信し、受信部２０７−２は、伝送路３０１−２を介して送信されたフレームを受信し、受信部２０７−３は、伝送路３０１−３を介して送信されたフレームを受信し、受信部２０７−４は、伝送路３０１−４を介して送信されたフレームを受信する。
【００５２】
例えば、伝送路３０１が光ファイバによって構成されている場合、受信部２０７は、送信器１０から光信号によって送信されたフレームを受光して電気信号に変換する。しかし、上記したように、送信器１０から伝送路３０１を介して受信器２０Ａに送信される信号の種類は限定されない。例えば、受信部２０７は電気信号により伝送路３０１を介してフレームを送信器１０から受信してもよい。
【００５３】
画素抽出部２０３は、４通りのフレームそれぞれから画素群Ｉｍ２０〜Ｉｍ５０（図５Ａ〜図５Ｄ）を抽出する。より具体的には、画素抽出部２０３−１が、受信部２０７−１によって受信されたフレームから画素群Ｉｍ２０（図５Ａ）を抽出し、画素抽出部２０３−２が、受信部２０７−２によって受信されたフレームから画素群Ｉｍ３０（図５Ｂ）を抽出し、画素抽出部２０３−３は、受信部２０７−３によって受信されたフレームから画素群Ｉｍ４０（図５Ｃ）を抽出し、画素抽出部２０３−４は、受信部２０７−４によって受信されたフレームから画素群Ｉｍ５０（図５Ｄ）を抽出する。
【００５４】
ここでは、画素抽出部２０３−１〜２０３−４が同様の処理を行うため、画素抽出部２０３−１〜２０３−４を代表して、画素抽出部２０３−１の処理を具体的に説明する。図６を参照しながら説明する。まず、画素抽出部２０３−１は、フレームから画素群Ｉｍ２０を抽出する前に、フレームをシリアルデータからパラレルデータに変換し、パラレルデータに変換されたフレームを復号してもよい。具体的には、画素抽出部２０３−１は、フレームに対して８ｂ／１０ｂ復号を行ってもよい。
【００５５】
例えば、画素抽出部２０３−１は、フレームのうち、フレーム開始識別子に対応する特殊データをフレーム開始識別子に置換し、ブランキング区間に対応する特殊データをブランキング区間に置換してもよい。一方、画素抽出部２０３−１は、フレームのうち、残りのデータも８ビット単位のデータに置換してもよい。
【００５６】
続いて、画素抽出部２０３−１は、フレームからフレーム開始識別子（ＳＹＮＣ）を検出する。フレーム開始識別子はフレームの先頭に付されているため、画素抽出部２０３−１は、フレーム開始識別子の位置に基づいてフレームから画素群Ｉｍ２０を抽出すればよい。より具体的には、画素抽出部２０３−１は、フレーム開始識別子の位置を基準とした画素群Ｉｍ２０の相対的な位置を把握していれば、この相対的な位置に基づいて画素群Ｉｍ２０を抽出すればよい。
【００５７】
また、画素抽出部２０３−１は、フレームの所定位置に付された画素群Ｉｍ２０の各ラインの先頭画素の映像信号Ｉｍ１０における位置情報をフレームから抽出する。例えば、図６に示すように、フレームのうち、画素群Ｉｍ２０の各ラインの前には、フレーム開始識別子またはブランキング区間が存在するため、画素抽出部２０３−１は、フレーム開始識別子またはブランキング区間の後に付された画素群Ｉｍ２０の各ラインの先頭画素の映像信号Ｉｍ１０における位置情報（水平方向の画素番号，垂直方向のライン番号）を抽出する。
【００５８】
画像合成部２０２は、（ａ×ａ＝２×２＝４通りの）画素群Ｉｍ２０〜Ｉｍ５０を合成することによって映像信号Ｉｍ１０を復元する。例えば、画像合成部２０２は、画素群Ｉｍ２０〜Ｉｍ５０の各ラインの先頭画素の映像信号Ｉｍ１０における位置情報（水平方向の画素番号，垂直方向のライン番号）に基づいて、画素群Ｉｍ２０〜Ｉｍ５０を合成する。より具体的には、画像合成部２０２は、画素群Ｉｍ２０〜Ｉｍ５０の各ラインの先頭画素の映像信号Ｉｍ１０における位置情報に従ったタイミングで、画素群Ｉｍ２０〜Ｉｍ５０の各ラインを出力することによって、画素群Ｉｍ２０〜Ｉｍ５０を合成すればよい。
【００５９】
画像表示部２０１は、映像信号Ｉｍ１０に基づいて映像の表示を行う。具体的には、画像表示部２０１は、映像信号Ｉｍ１０を再生して映像を表示する。例えば、画像表示部２０１は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）、有機ＥＬ（Ｅｌｅｃｔｒｏ−Ｌｕｍｉｎｅｓｃｅｎｃｅ）ディスプレイおよびプロジェクタなどの表示装置などであり得る。なお、図３には、画像表示部２０１が受信器２０Ａに組み込まれている例が示されているが、画像表示部２０１は、受信器２０Ａの外部に存在していてもよい。
【００６０】
＜３．むすび＞
以上説明したように、本開示の実施形態によれば、画像分割部１０２と、フレーム生成部１０３♯とを備える、フレーム生成装置１０が提供される。ここで、映像信号における水平方向の画素番号を０からｎ−１までの整数とし、映像信号における垂直方向のライン番号を０からｍ−１までの整数とし、ａを２以上の所定の整数とし、Ｈを０から（ｎ／ａ）−１までのすべての整数とし、Ｌを０から（ｍ／ａ）−１までのすべての整数とした場合を想定する。
【００６１】
かかる場合、画像分割部１０２は、各々が０からａ−１までの任意の整数をとり得るｋおよびｌのａ×ａ通りの組み合わせそれぞれに対して、画素番号がａＨ＋ｋと表現され、ライン番号がａＬ＋ｌと表現される画素群を、ａ×ａ通りの画素群として映像信号から分割する。そして、フレーム生成部１０３♯は、ａ×ａ通りの画素群それぞれを別個に含むａ×ａ通りのフレームを生成する。
【００６２】
一般的には、映像信号から分割された複数の塊それぞれが異なる伝送路を介して送信側から伝送される場合、すべての伝送路を伝送された塊を受信側において受信しない限り、受信側に表示された映像から映像信号の全体像を把握することは困難である。しかし、本開示の実施形態によれば、送信側から映像信号が複数の伝送路を介して分散されて伝送される場合に受信側に表示された映像から映像信号の全体像をより確実に把握することが可能となる。
【００６３】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【００６４】
例えば、上記においては、受信部２０７−１〜２０７−４の全部を機能させ、画素抽出部２０３−１〜２０３−４の全部を機能させる例を説明した。そして、画像合成部２０２が画素抽出部２０３−１〜２０３−４それぞれによって抽出された画素群の全部を合成して映像信号を復元し、画像表示部２０１が映像信号を再生して表示する例を説明した。しかし、受信部２０７−１〜２０７−４の一部の機能を停止させ、画素抽出部２０３−１〜２０３−４の一部の機能を停止させてもよい。
【００６５】
例えば、受信部２０７−１および画素抽出部２０３−１を機能させるとともに、受信部２０７−２〜２０７−４および画素抽出部２０３−２〜２０３−４の機能を停止させてもよい。このとき、画像合成部２０２は、画素抽出部２０３−１によって抽出された画素群のみから映像を合成すればよい。画像合成部２０２によって合成される映像は、画像生成部１０１によって生成された映像信号を基準にすると、水平方向に（１／ａ）倍され、垂直方向に（１／ａ）倍され、画像表示部２０１によって表示されるため、消費電力の低減が実現される。
【００６６】
また、受信器の種類には、他にも様々な種類が想定される。図８は、画像伝送システムの変形例の構成の一例を示す図である。図８に示すように、変形例に係る画像伝送システム１Ｂは、受信器２０Ａの代わりに受信器２０Ｂを有しており、受信器２０Ｂは、受信部２０７−１および画素抽出部２０３−１を一つずつ備え、画像合成部２０２の代わりに信号生成部２０９を備えている。受信器２０Ｂは、「信号生成装置」として機能し得る。信号生成部２０９は、画素抽出部２０３−１によって抽出された画素群に基づいて映像信号Ｉｍ１０よりもサイズの小さい映像信号を生成する。
【００６７】
より具体的には、信号生成部２０９は、画素抽出部２０３−１によって抽出された画素群のみから映像信号を生成する。信号生成部２０９によって生成される映像信号は、画像生成部１０１によって生成された映像信号を基準にすると、水平方向に（１／ａ）倍され、垂直方向に（１／ａ）倍され、画像表示部２０１によって表示されるため、消費電力の低減が実現される。さらに、受信器２０Ｂの構成は、受信器２０Ａの構成よりも簡素化されているため、受信器２０Ｂは、受信器２０Ａよりも低コストで製造され得る。
【００６８】
また、例えば、画像生成部１０１、画像分割部１０２およびフレーム生成部１０３♯は、別個のＩＣ（Ｉｎｔｅｇｒａｔｅｄ  Ｃｉｒｃｕｉｔ）に実装されてもよいし、いずれかの組み合わせが同一のＩＣに実装されてもよい。また、例えば、画素抽出部２０３♯および画像合成部２０２（または信号生成部２０９）は、別個のＩＣに実装されてもよいし、いずれかの組み合わせが同一のＩＣに実装されてもよい。
【００６９】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏し得る。
【００７０】
なお、以下のような構成も本開示の技術的範囲に属する。
（１）
映像信号における水平方向の画素番号を０からｎ−１までの整数とし、前記映像信号における垂直方向のライン番号を０からｍ−１までの整数とし、ａを２以上の所定の整数とし、Ｈを０から（ｎ／ａ）−１までのすべての整数とし、Ｌを０から（ｍ／ａ）−１までのすべての整数とした場合、各々が０からａ−１までの任意の整数をとり得るｋおよびｌのａ×ａ通りの組み合わせそれぞれに対して、前記画素番号がａＨ＋ｋと表現され、前記ライン番号がａＬ＋ｌと表現される画素群を、ａ×ａ通りの画素群として前記映像信号から分割する画像分割部と、
前記ａ×ａ通りの画素群それぞれを別個に含むａ×ａ通りのフレームを生成するフレーム生成部と、
を備える、フレーム生成装置。
（２）
前記フレーム生成部は、前記フレームの先頭にフレーム開始識別子を付する、
前記（１）に記載のフレーム生成装置。
（３）
前記フレーム開始識別子は、少なくとも前記映像信号には存在しない所定のコードに置換される、
前記（２）に記載のフレーム生成装置。
（４）
前記フレーム生成部は、前記画素群の各ラインの先頭画素の前記映像信号における位置情報を前記フレームの所定位置に付する、
前記（３）に記載のフレーム生成装置。
（５）
前記フレームのうち、前記画素群の各ラインの前には、前記フレーム開始識別子または少なくとも前記映像信号には存在しない所定のコードに置換されるブランキング区間が存在し、
前記フレーム生成部は、前記フレーム開始識別子または前記ブランキング区間の後に前記位置情報を付する、
前記（４）に記載のフレーム生成装置。
（６）
前記フレーム生成装置は、前記映像信号を生成する画像生成部を備える、
前記（１）〜（５）のいずれか一項に記載のフレーム生成装置。
（７）
前記フレーム生成装置は、前記フレームを送信する送信部を備える、
前記（１）〜（６）のいずれか一項に記載のフレーム生成装置。
（８）
映像信号における水平方向の画素番号を０からｎ−１までの整数とし、前記映像信号における垂直方向のライン番号を０からｍ−１までの整数とし、ａを２以上の所定の整数とし、Ｈを０から（ｎ／ａ）−１までのすべての整数とし、Ｌを０から（ｍ／ａ）−１までのすべての整数とした場合、各々が０からａ−１までの任意の整数をとり得るｋおよびｌのａ×ａ通りの組み合わせそれぞれに対して、前記画素番号がａＨ＋ｋと表現され、前記ライン番号がａＬ＋ｌと表現される画素群を、ａ×ａ通りの画素群として前記映像信号から分割することと、
前記ａ×ａ通りの画素群それぞれを別個に含むａ×ａ通りのフレームを生成することと、
を含む、フレーム生成方法。
（９）
ａを２以上の所定の整数とした場合、映像信号から分割されて得られたａ×ａ通りの画素群それぞれを別個に含むａ×ａ通りのフレームから、前記ａ×ａ通りの画素群を抽出する画素抽出部と、
前記ａ×ａ通りの画素群を合成することによって前記映像信号を復元する画像合成部と、
を備える、画像合成装置。
（１０）
前記画素抽出部は、前記フレームの先頭に付されているフレーム開始識別子の位置に基づいて前記画素群を抽出する、
前記（９）に記載の画像合成装置。
（１１）
前記フレーム開始識別子は、少なくとも前記映像信号には存在しない所定のコードから置換される、
前記（１０）に記載の画像合成装置。
（１２）
前記画像合成部は、前記フレームの所定位置に付された前記画素群の各ラインの先頭画素の前記映像信号における位置情報に基づいて前記画素群を合成する、
前記（１１）に記載の画像合成装置。
（１３）
前記フレームのうち、前記画素群の各ラインの前には、前記フレーム開始識別子または少なくとも前記映像信号には存在しない所定のコードから置換されるブランキング区間が存在し、
前記画像合成部は、前記フレーム開始識別子または前記ブランキング区間の後に付された前記位置情報に基づいて前記画素群を合成する、
前記（１２）に記載の画像合成装置。
（１４）
前記画像合成装置は、前記映像信号に基づいて映像の表示を行う画像表示部を備える、
前記（９）〜（１３）のいずれか一項に記載の画像合成装置。
（１５）
前記画像合成装置は、前記フレームを受信する受信部を備える、
前記（９）〜（１４）のいずれか一項に記載の画像合成装置。
（１６）
ａを２以上の所定の整数とした場合、映像信号から分割されて得られたａ×ａ通りの画素群それぞれを別個に含むａ×ａ通りのフレームから、前記ａ×ａ通りの画素群を抽出することと、
前記ａ×ａ通りの画素群を合成することによって前記映像信号を復元することと、
を含む、画像合成方法。
（１７）
ａを２以上の所定の整数とした場合、映像信号から分割されて得られたａ×ａ通りの画素群それぞれを別個に含むａ×ａ通りのフレームのうちの１のフレームから、１の画素群を抽出する画素抽出部と、
前記１の画素群に基づいて前記映像信号よりもサイズの小さい映像信号を生成する信号生成部と、
を備える、信号生成装置。
（１８）
ａを２以上の所定の整数とした場合、映像信号から分割されて得られたａ×ａ通りの画素群それぞれを別個に含むａ×ａ通りのフレームのうちの１のフレームから、１の画素群を抽出することと、
前記１の画素群に基づいて前記映像信号よりもフレームサイズの小さい映像信号を生成することと、
を備える、信号生成方法。
（１９）
映像信号における水平方向の画素番号を０からｎ−１までの整数とし、前記映像信号における垂直方向のライン番号を０からｍ−１までの整数とし、ａを２以上の所定の整数とし、Ｈを０から（ｎ／ａ）−１までのすべての整数とし、Ｌを０から（ｍ／ａ）−１までのすべての整数とした場合、各々が０からａ−１までの任意の整数をとり得るｋおよびｌのａ×ａ通りの組み合わせそれぞれに対して、前記画素番号がａＨ＋ｋと表現され、前記ライン番号がａＬ＋ｌと表現される画素群を、ａ×ａ通りの画素群として前記映像信号から分割する画像分割部と、
前記ａ×ａ通りの画素群それぞれを別個に含むａ×ａ通りのフレームを生成するフレーム生成部と、
前記ａ×ａ通りのフレームを送信する送信部と、
を備える、送信器と、
前記ａ×ａ通りのフレームを受信する受信部と、
前記ａ×ａ通りのフレームから、前記ａ×ａ通りの画素群を抽出する画素抽出部と、
前記ａ×ａ通りの画素群を合成することによって前記映像信号を復元する画像合成部と、
を備える、受信器と、
を有する、画像伝送システム。
（２０）
映像信号における水平方向の画素番号を０からｎ−１までの整数とし、前記映像信号における垂直方向のライン番号を０からｍ−１までの整数とし、ａを２以上の所定の整数とし、Ｈを０から（ｎ／ａ）−１までのすべての整数とし、Ｌを０から（ｍ／ａ）−１までのすべての整数とした場合、各々が０からａ−１までの任意の整数をとり得るｋおよびｌのａ×ａ通りの組み合わせそれぞれに対して、前記画素番号がａＨ＋ｋと表現され、前記ライン番号がａＬ＋ｌと表現される画素群を、ａ×ａ通りの画素群として前記映像信号から分割することと、
前記ａ×ａ通りの画素群それぞれを別個に含むａ×ａ通りのフレームを生成することと、
前記ａ×ａ通りのフレームを送信することと、
前記ａ×ａ通りのフレームを受信することと、
前記ａ×ａ通りのフレームから、前記ａ×ａ通りの画素群を抽出することと、
前記ａ×ａ通りの画素群を合成することによって前記映像信号を復元することと、
を含む、画像伝送方法。
【符号の説明】
【００７１】
１（１Ａ，１Ｂ）  画像伝送システム
１０    送信器（フレーム生成装置）
１０１  画像生成部
１０２  画像分割部
１０３  フレーム生成部
１０７  送信部
２０（２０Ａ，２０Ｂ）  受信器（画像合成装置）
２０１  画像表示部
２０２  画像合成部
２０３  画素抽出部
２０７  受信部
２０９  信号生成部
３０    ケーブル
３０１〜３０４  伝送路
Ｉｍ１０  映像信号
Ｉｍ２０  画素群
Ｉｍ３０  画素群
Ｉｍ４０  画素群
Ｉｍ５０  画素群
【図１Ａ】
2017085969.tif 000003
【図１Ｂ】
2017085969.tif 000004
【図１Ｃ】
2017085969.tif 000005
【図２】
2017085969.tif 000006
【図３】
2017085969.tif 000007
【図４】
2017085969.tif 000008
【図５Ａ】
2017085969.tif 000009
【図５Ｂ】
2017085969.tif 000010
【図５Ｃ】
2017085969.tif 000011
【図５Ｄ】
2017085969.tif 000012
【図６】
2017085969.tif 000013
【図７】
2017085969.tif 000014
【図８】
2017085969.tif 000015
【国際調査報告】
2017085969.tif 000016
2017085969.tif 000017